(57)【特許請求の範囲】
【請求項１】
印面データを入力する入力装置と、演算装置と印面レイアウトデータベースとを備えたサーバと、画面表示装置とからなり、サーバの演算装置には、
入力された印面データと構成値が共通する印面レイアウトを印面レイアウトデータベース中から検索する検索部と、
検索された印面レイアウトの平均値を演算して平均印面レイアウトとする平均印面作成部と、
この平均印面レイアウトを印面レイアウトデータベース中の印面レイアウトと比較して同一の印面レイアウトの有無を照合する照合部と、
同一の印面レイアウトが発見されたときに平均印面レイアウトにランダム値を付加するランダム値付加部と、
ランダム値が付加された印面レイアウトを新規印面レイアウトとして画面表示装置に表示するとともに、印面レイアウトデータベースに登録する登録部とが設けられていることを特徴とする印面レイアウトシステム。
【請求項２】
印面データの構成値が、印面文字、書体、小付きの有無、改行の有無、左右、縦横、枠形状であることを特徴とする請求項１に記載の印面レイアウトシステム。
【請求項３】
ランダム値付加部は、乱数発生手段から得られた乱数に基づいて、平均印面レイアウトの座標データを目視不能な微小量だけ変更する機能を有するものであることを特徴とする請求項１に記載の印面レイアウトシステム。
【請求項４】
請求項１〜３の何れかに記載の印面レイアウトシステムにより決定された新規印面レイアウトを版下データとして、印判を作成することを特徴とする印判作成方法。
【発明の詳細な説明】
【技術分野】
【０００１】
本発明は、印面レイアウトデータベースを備えたサーバを利用した印面レイアウトシステム及びこれを利用した印判作成方法に関するものである。
【背景技術】
【０００２】
印判は通常、印判発注者が専用用紙に、印判の種類、印面サイズ、印面文字、書体、小付きの有無、改行の有無、左右、縦横、枠形状などの必要事項を記載して印判製造者に送付し、それを受けた印判製造者はその記載内容に基づいて版下を作成し、その版下を使って印材に印面を形成して印判を製造している。
【０００３】
また近年のコンピュータネットワークの普及に伴ってネットワークを利用して印判の発注を行い、納期短縮を可能とする技術も開発されており、本出願人の出願に係る特許文献１にもその一例が開示されている。
【０００４】
このようなネットワークを利用した印判発注システムにおいては、一般ユーザが印判を直接発注することが可能であるが、その場合には画面上で印判の種類、印面サイズ、印面文字、書体、小付きの有無、改行の有無、左右、縦横、枠形状などの必要事項を決定する必要がある。しかし一般ユーザは印判を発注する経験は少ないのが普通であるから、画面上で自己の感覚に基づいて決定した印面レイアウトが、実際に印判として捺印してみると好ましくないことがある。
【０００５】
また、印判製造者は全く同一の印面レイアウトの印判は製造しないのが原則であるが、一般ユーザがネットワークを利用して印判発注システムによって印判を発注する場合には、画面に表示された標準文字をそのまま発注する可能性が高く、同一の印面レイアウトの印判が多数製造されるおそれがある。
【先行技術文献】
【特許文献】
【０００６】
【特許文献１】特開２００２−１６９２６１号公報
【発明の概要】
【発明が解決しようとする課題】
【０００７】
従って本発明の目的は上記した従来の問題点を解決し、一般ユーザであっても印判として好ましい印面レイアウトを容易に決定することができ、しかも全く同一の印面レイアウトを回避した印判を得ることを可能とした印面レイアウトシステム及びこれを利用した印判作成方法を提供することである。
【課題を解決するための手段】
【０００８】
上記の課題を解決するためになされた本発明は、印面データを入力する入力装置と、演算装置と印面レイアウトデータベースとを備えたサーバと、画面表示装置とからなり、サーバの演算装置には、
入力された印面データと構成値が共通する印面レイアウトを印面レイアウトデータベース中から検索する検索部と、
検索された印面レイアウトの平均値を演算して平均印面レイアウトとする平均印面作成部と、
この平均印面レイアウトを印面レイアウトデータベース中の印面レイアウトと比較して同一の印面レイアウトの有無を照合する照合部と、
同一の印面レイアウトが発見されたときに平均印面レイアウトにランダム値を付加するランダム値付加部と、
ランダム値が付加された印面レイアウトを新規印面レイアウトとして画面表示装置に表示するとともに、印面レイアウトデータベースに登録する登録部とが設けられていることを特徴とするものである。
【０００９】
なお、印面データのその他の構成値が、印面文字、書体、小付きの有無、改行の有無、左右、縦横、枠形状であることが好ましい。
【００１０】
また、ランダム値付加部は、乱数発生手段から得られた乱数に基づいて、平均印面レイアウトの座標データを目視不能な微小量だけ変更する機能を有するものであることが好ましい。
【００１１】
また本発明の印判作成方法は、請求項１〜３の何れかに記載の印面レイアウトシステムにより決定された新規印面レイアウトを版下データとして、印判を作成することを特徴とするものである。
【発明の効果】
【００１２】
本発明の印面レイアウトシステムによれば、サーバの演算装置が、入力された印面データと構成値が共通する印面レイアウトを印面レイアウトデータベース中から検索し、検索された印面レイアウトの平均値を演算して平均印面レイアウトとする。印面レイアウトデータベースには過去の印面レイアウトが蓄積されており、それらは各発注者が最も好ましい印面レイアウトであるとして発注した実績を持つものであるから、それらの平均値を取ればより好ましい印面レイアウトとなり、発注者は印判に適した印面レイアウトを容易に決定することができる。また印面レイアウトデータベースに最新の印面レイアウトを蓄積して行くことにより、印面レイアウトデータベースの精度も徐々に向上させることができる。
【００１３】
しかも本発明の印面レイアウトシステムによれば、平均印面レイアウトと同一の印面レイアウトが発見されたときにはランダム値を自動的に付加し、ランダム値が付加された印面レイアウトを新規印面レイアウトとして決定するので、全く同一の印判が製造されることが防止される。なおこのランダム値が付加された印面レイアウトは肉眼では識別できない程度の微小な変更が加えられたものであるから、印面レイアウトの外観は変らず、しかも電子印鑑として用いる場合には全く相違するものである。よって本発明によれば、一般ユーザであっても印判として好ましい印面レイアウトを容易に決定することができ、しかも全く同一の印面レイアウトを回避した印判あるいは電子印鑑を製造することが可能となる。
【図面の簡単な説明】
【００１４】
【図１】本発明の印面レイアウトシステムの全体構成を示すブロック図である。
【図２】入力時の印面レイアウトの説明図である。
【図３】平均印面レイアウトの説明図である。
【図４】本発明の印面レイアウトシステムのフローチャートである。
【発明を実施するための形態】
【００１５】
以下に本発明の好ましい実施形態を示す。
図１に示されるように、本発明の印面レイアウトシステムは、印面データを入力する入力装置１とサーバ２と画面表示装置３とから構成されている。サーバ２は、演算装置４と記憶装置に収納された印面レイアウトデータベース５とを備えたものである。これらの各装置は通信回線により接続されておれば遠隔配置あるいは、分散配置されていてもよく、例えば入力装置１と画面表示装置３とをユーザのパソコンとし、ネット回線により印判メーカー側のサーバ２と接続することもできる。印面レイアウトデータベース５は、第１データベース６、第２データベース７、レイアウト規定値データベース８を含むものである。それらの内容については以下に順次説明する。
【００１６】
図１に示したように、サーバ２の演算装置４には、検索部１１と、平均印面作成部１２と、照合部１３と、ランダム値付加部１４と、登録部１５とが設けられている。各部の機能については以下に説明するが、各部の機能を実現するためのプログラムを記憶装置に収納しておき、順次演算領域に読み出して、演算するように構成することができる。
【００１７】
説明に先立ち、印面レイアウトの構成要素について説明する。図２の印面レイアウトでは、「一柳」が印面文字であり、通常は姓が用いられる。図２では楷書体が用いられているがその他様々な書体を用いることができるので、書体が２番目の要素である。また同性の多い場合には名前の一文字を印面文字に付加することがあり、これを小付きと呼ぶ。この小付きの有無が３番目の要素であり、図２では小付きは無しである。また文字数の多い場合には改行することがあり、改行の有無が４番目の要素である。図２では改行はない。次に、右書きか左書きかの区別があり、これが５番目の要素である。次に縦書きか横書きかの区別があり、これが６番目の要素である。さらに枠形状が丸か角かの区別があり、これが７番目の要素である。本明細書ではこれらの要素はコンピュータ上では全て数値化されるので、これらの要素を構成値と総称する。
【００１８】
発注者は入力装置１から印面文字を含む上記した構成値を入力し、サーバ２に送る。その入力内容は、例えば表１に示すとおりである。この印面データに基づいて標準的に作成された印面レイアウトは図２のようになる。
【００１９】
【表１】
0005696515.tif 000002
【００２０】
サーバ２の演算装置４はまず検索部１１が印面レイアウトデータベース５にアクセスし、入力された印面データと印面文字が同一でその他の構成値が共通する印面レイアウトを検索する。本実施形態では、印面レイアウトデータベース５は図１に示すように、第１データベース６と第２データベース７を含むものである。印面レイアウトデータベース５には過去の印面データが蓄積されている。第１データベース６は入力された印面データとほぼ同様の構成であり、その一部を表２に示す。
【００２１】
【表２】
0005696515.tif 000003
【００２２】
この例では、表１に示す入力された印面データの構成値と第１データベース６の一意値８のデータが一致するので、検索部１１が第１データベース６から一意値８のレコードを抽出する。第１データベース６の各一意値のレコードはそれぞれ第２データベース７とリンクされており、第１データベース６の一意値８とリンクする第２データベース７の構成は、例えば表３に示すとおりである。
【００２３】
【表３】
0005696515.tif 000004
【００２４】
この実施形態では、表３に示すように第１データベース６の一意値８とリンクする８件のレコードが第２データベース７に存在している。このレコードは一文字毎に作成されているため、一意値「６と７」、「８と９」、「１０と１１」、「１２と１３」の４種類の印面レイアウトが過去に作成されたことを意味している。そこで平均印面作成部１２がこれらの４種類の構成値の平均値を演算する。演算は文字の大きさ、原点から横方向の加算値、幅方向の扁平率などについて行なう。その結果、表４のとおりの平均値が得られる。
【００２５】
【表４】
0005696515.tif 000005
【００２６】
このようにして演算された平均印面レイアウトは、例えば図３に示されるようになる。本発明では、演算装置４の照合部１３が、この平均印面レイアウトを印面レイアウトデータベース５中の印面レイアウトと比較して同一の印面レイアウトの有無を照合する。そして第１データベース６中に同一の印面レイアウトがなかった場合には、それを画面表示装置３に表示するとともに、登録部１５が新規印面レイアウトとして印面レイアウトデータベース５に登録する。決定された新規印面レイアウトを版下データとして印判が作成され、発注者に納品されるが、この印判作成工程は従来と変わりがないので説明を省略する。
【００２７】
一方、もし第１データベース６中に同一の印面レイアウトが発見された場合には、演算装置４のランダム値付加部１６が、平均印面レイアウトにランダム値を付加する。ランダム値付加部１６は、乱数発生手段から得られた乱数に基づいて、平均印面レイアウトの座標データを目視不能な微小量だけ変更する機能を有するものである。なお、乱数発生手段から得られた乱数には、擬似乱数生成器により生成した擬似乱数も含まれる。ランダム値の付加方法としては、次のような方法がある。
【００２８】
第１は、文字の大きさや枠の大きさ（ピクセルなどのサイズ）の加減である。１/１００単位で指定可能であり、非常に微細な値の変更であるためにレイアウト結果は肉眼では判断不能である。しかし電子情報としては明確に相違するため、電子印鑑として使用する場合には識別される。
【００２９】
第２は、文字や枠の位置の上下左右への移動である。原点から１/１０単位で指定することができる。移動量が１以下の場合には肉眼では判断不能である。
【００３０】
第３は、文字や枠の扁平率の加減である。１/１０単位で指定することができる。変更幅が１以下の場合には肉眼では判断できないので、重複を回避することができる。
【００３１】
そのほか、文字や枠の太さ（ウエイト）の加減も可能である。１/１０００単位で指定することができ、非常に微細な値の変更であるため、レイアウト結果は肉眼では判断不能である。
【００３２】
このようにしてランダム値が付加された印面レイアウトは、登録部１５が新規印面レイアウトとして印面レイアウトデータベース５に登録する。そして決定された新規印面レイアウトを版下データとして印判が作成され、発注者に納品される。印判の作成方法は、ゴム加硫、レーザ加工、サーマル加工、機械彫りなど、従来公知の全ての製造方法を用いることができる。
【００３３】
なお、入力された印面データの構成値と一致するデータが第１データベース６中に存在しない場合には、検索部１１はレイアウト規定値データベース８中から、文字数と配置を決定する構成値（書体、小付き、改行位置、左右表示、縦横書き、枠形状）を比較し、検索を行なう。レイアウト規定値データベース８の内容は、例えば表５に示すとおりである。
【００３４】
【表５】
0005696515.tif 000006
【００３５】
本実施形態の場合、書体、小付き、改行位置、左右表示、縦横書き、枠形状が表１に示す入力された印面データの構成値と一致するのは一意値２であるから、これを選択する。すなわち、印面文字が異なっていても文字数と配置が共通する過去の印面レイアウトを抽出し、以下は前述のとおり平均値を演算し、照合し、必要な場合にはランダム値を付加して新規印面レイアウトを決定する。
【００３６】
以上に説明した本発明のフローを図４にまとめた。
【００３７】
以上に説明したように、本発明によれば、経験に乏しい一般ユーザであっても印判として好ましい印面レイアウトを容易に決定することができ、しかも全く同一の印面レイアウトを回避した印判を得ることができる利点がある。また新規の印面レイアウトを印面レイアウトデータベースに蓄積して行くことにより、システムの精度を高めていくことができる。なお、上記した印面レイアウトシステムにより決定された新規印面レイアウトは、印判としてのみならず、電子印鑑としてもそのまま使用することができる。
【符号の説明】
【００３８】
１  入力装置
２  サーバ
３  画面表示装置
４  演算装置
５  印面レイアウトデータベース
６  第１データベース
７  第２データベース
８  レイアウト規定値データベース
１１  検索部
１２  平均印面作成部
１３  照合部
１４  ランダム値付加部
１５  登録部
【図１】
0005696515.tif 000007
【図２】
0005696515.tif 000008
【図３】
0005696515.tif 000009
【図４】
0005696515.tif 000010